(57)【特許請求の範囲】
【請求項１】
隣接する手すり部材の対向端部を嵌入固定し得る第一手すり接続部と第二手すり接続部からなり、前記第一手すり接続部が略半球面状の凸部材と、前記第二手すり接続部が前記凸部材を嵌合する凹部材と、前記凸部材から延設した突出部と、前記凹部材が前記突出部を嵌入し得る溝と、を有し、前記突出部を前記溝に嵌入保持した状態で摺動自在に連結し、
前記第一手すり接続部と前記第二手すり接続部を嵌合して接続した前記凸部材と前記凹部材間の嵌合空間に弾性部材が位置し、前記弾性部材が前記凹部材の外周面に沿って形成され、前記弾性部材と前記凸部材または凹部材の間に空隙を備え、
前記凹部材は、前記弾性部材を前記凹部材の外周面に沿って固定するための小孔を有し、
前記弾性部材は、前記凸部材及び前記凹部材の外周面に沿う殻状体であり、周縁部のみが前記凸部材の外周面に接し、前記凹部材の前記小孔に嵌入する突起と、前記凸部材の前記突出部を前記凹部材の前記溝への嵌入するための長孔と、を有すること、を特徴とする手すり用接続具。
【請求項２】
突出部に固定具支持部を設け、固定具で押え部材を前記固具支持部で固定し、前記押え部材で凹部材の内周面を押さえることで、突出部を溝に嵌入保持せしめることを特徴とする請求項１記載の手すり用接続具。
【発明の詳細な説明】
【技術分野】
【０００１】
本発明は、階段や廊下などに設置する手すりを任意の角度で接続して取り付けることのできる手すり用接続具に関する。
【背景技術】
【０００２】
隣接する手すり部材を接続する手すり用接続具として、隣接する手すり部材の対向端部を嵌入固定し得る２つの手すり接続部からなり、その手すり接続部同士を嵌合した状態で摺動可能にする連結具が提案されている（例えば、特許文献１参照）。
【先行技術文献】
【特許文献】
【０００３】
【特許文献１】特開平１１―６２６７号公報
【発明の概要】
【発明が解決しようとする課題】
【０００４】
この手すり用接続具の接続部同士は連結具の両端に備えられた押え部材によって連結されているものであり、この押え部材は樹脂材等を主体として形成され、摺動することを可能としている。
【０００５】
しかしながら、このような押え部材により接続部同士を摺動可能で適度な摩擦力を有しながら固定するには、押え部材を接続部の内周面へ圧入して調整する必要があった。そのため、第一に、接続部の形状（製造時に発生する形状の誤差などを含む）ごとに押え部材の圧入を調整すること、第二に、その圧入を連結具両端に備える押え部材に対して行うこと、が必要であり摩擦力の調整が難しいのみならず、組み立て作業に手間が掛かるという欠点があった。
【０００６】
これらの欠点を解消するべく、本発明では、摺動可能な摩擦力を発生するための部材と、接続部から延設された突出部による連結部材と、をそれぞれ独立に備えることで、組立作業と、摺動可能な摩擦力の調整と、を容易に実施することができる手すり用接続具を提供する。
【課題を解決するための手段】
【０００７】
本発明は、上記課題に鑑み、隣接する手すり部材の対向端部を嵌入固定し得る第一手すり接続部と第二手すり接続部からなり、前記第一手すり接続部が略半球面状の凸部材と、前記第二手すり接続部が前記凸部材を嵌合する凹部材と、前記凸部材から延設した突出部と、前記凹部材が前記突出部を嵌入し得る溝と、を有し、前記突出部を前記溝に嵌入保持した状態で摺動自在に連結し、
前記第一手すり接続部と前記第二手すり接続部を嵌合して接続した前記凸部材と前記凹部材間の嵌合空間に弾性部材が位置し、前記弾性部材が前記凹部材の外周面に沿って形成され、前記弾性部材と前記凸部材または凹部材の間に空隙を備え、
前記凹部材は、前記弾性部材を前記凹部材の外周面に沿って固定するための小孔を有し、
前記弾性部材は、前記凸部材及び前記凹部材の外周面に沿う殻状体であり、周縁部のみが前記凸部材の外周面に接し、前記凹部材の前記小孔に嵌入する突起と、前記凸部材の前記突出部を前記凹部材の前記溝への嵌入するための長孔と、を有すること、
を特徴とする手すり用接続具である。
【０００８】
また、上述した構成に加え、突出部に固定具支持部を設け、固定具で押え部材を前記固具支持部で固定し、前記押え部材で凹部材の内周面を押さえることで、突出部を溝に嵌入保持せしめることが好ましい。
【発明の効果】
【０００９】
請求項１記載の発明によれば、凸部材から延設された突出部が凹部材の溝に嵌入保持された状態で第一手すり接続部と第二手すり接続部とが嵌合しているため、第一手すり接続部に対して押え部材を必要とせず構造が簡単になり、容易に組み立てることが可能である。
【００１０】
また、請求項１記載の発明によれば、突出部の高さに応じて、第一手すり接続部の凸部材と第二手すり接続部の凹部材間に一定の嵌合空間を設けることが可能である。この嵌合空間は、摩擦力を調整する一定の形状で形成された部材を挟み込むためのものであるとともに、弾性体を嵌合空間に挟み込むことができ、弾性体と凸部材または凹部材との接する面に空隙を設けることで摺動可能な摩擦力に調整することができる。
【００１１】
請求項２記載の発明によれば、第一手すり接続部の凸部材から延設された突出部と第二手すり接続部の凹部材の内周面を押える押え部材は固定具により固定されているため、押え部材を圧入して調整することなく、凸凹両部材間の一定の嵌合空間を設けることが可能である。 
【図面の簡単な説明】
【００１２】
【図１】本発明の実施形態における手すり用接続具Aを手すり部材とともに示す分解斜視図である。
【図２】本発明の実施形態における手すり用接続具Aを示す(a)正面図、(b)殻状体の弾性部材が嵌合空間に挟まれた状態の中央横断面図、(c)波状の断面形状を有する弾性部材が嵌合空間に挟まれた状態の中央横断面図、である。
【図３】本発明の実施形態における手すり用接続具Aを鈍角に固定した状態を手すり部材とともに示す(a)正面図、(b)中央縦断面図である。
【図４】本発明の実施形態における手すり用接続具Aを直角に固定した状態を手すり部材とともに示す(a)正面図、(b)中央縦断面図である。
【発明を実施するための形態】
【００１３】
本発明の実施形態について図１ないし図４に基づいて詳細に説明する。ここに例示する手すり接続具Aは、図１に示すように、隣接する手すり部材の対向端部を嵌入固定し得る第一手すり接続部１と第二手すり接続部２からなり、その第一手すり接続部１が略半球面状の凸部材１aと、第二手すり接続部２が前記凸部材１aを嵌合する凹部材２aと、前記凸部材１aから延設した突出部１ｂと、前記凹部材２aが前記突出部１ｂを嵌入し得る前記溝２ｂと、を有し、突出部１ｂを溝２ｂに嵌入保持して連結した状態であり、嵌合空間に弾性部材を挟み込むことで摺動自在にしたものである。
【００１４】
第一手すり接続部１は、略半球状の凸部材１ａの反対側の端部に円筒状筒体１ｃが設けられており、隣接する手すり部材９の対向端部を挿入し、固定ねじ６で固定する。
【００１５】
このとき、円筒状筒体１ｃは、欠損円筒状筒体１ｃ１と手すり固定部１ｃ２とに分割して、固定ねじ７を欠損円筒状筒体１ｃ１の雌ねじ部１ｅに螺着することで両者を固定して一体とする。
【００１６】
そして、この円筒状筒体１ｃの軸方向の凸部材１aには、固定具支持部１ｂ１である雌ねじ部を有する円筒状筒体からなる突出部１ｂを延設されている。
【００１７】
上述した構成から、凸部材１ａから延設された突出部１ｂが一体として形成されていることから、凹部材２ａの溝２ｂへの嵌入保持する状態において、その突出部１ｂの高さに応じて、凸部材１ａと凹部材２ａとの間に一定の嵌合空間を設けることができる（例えば、図２(ｂ)、図２(ｃ)参照）。つまり、突出部１ｂが一定の嵌合空間を有するように、その突出高さを設けているのであり、突出部１ｂに固定具３であるねじを強固に締め込んだ場合であっても、一定の嵌合空間が確保できる。従来の接続具では使用者、施工者による押圧部材の圧入する加減で当該空間の大きさが決まっていたため、摺動が円滑になされない場合があったが、本実施形態では、このような不都合がない。
【００１８】
また、突出部１ｂは凸部材１ａと一体的に形成されていることから、凸部材１ａ側の内周面を押える押え部材を必要せず、また、固定具３、押え部材４や固定具支持部１ｂ１は固定ねじ、座金や雌ねじ部などの汎用性の高い部品を用いることができるため、安価で容易に組み立てることができる。
【００１９】
また、あらかじめ壁に取り付けた手すり支持部との固定する方向に合わせて第一手すり接続部１を軸方向に摺動回転させ、第一手すり接続部１の固定ねじ７を外して手すり部材９と手すり固定部１ｃ２とが欠損円筒状筒体１ｃ１を分離させることで、手すり支持部と手すり部材９の取り付けや取り外しが簡単に施行でき、かつ、手すり固定部１ｃ２と手すり部材９の固定ねじ６を繰り返し取り付けることによる手すり部材９の劣化を防ぐことができる。
【００２０】
第二手すり接続部２には、凸部材１ａを嵌合する凹部材２ａの反対側の端部に円筒状筒体２ｃが設けられており、この円筒状筒体２ｃに隣接する手すり部材１０の対向端部を嵌入し、固定ねじ８で固定する。
【００２１】
そして、凹部材２ａには、円筒状筒体２ｃの軸方向と交差するように凹部材２ａ上に溝２ｂと、弾性部材５を凹部材２aの外周面に沿って固定するための小孔２ｄと、が形成されている。  
【００２２】
上述した構成から、凸部材１ａを嵌合するように形成した凹部材２ａと、その凹部材２ａの溝２ｂへ突出部１ｂを嵌入保持した状態で、溝２ｂに沿って摺動させることで、第一手すり接続部１と第二手すり接続部２とを任意の角度に変更することが可能である。例えば、図３では鈍角に固定し、図４では直角に固定している状態を示す。
【００２３】
また、凹部材２ａの小孔２ｄで嵌合空間に挟み込む弾性部材５を固定して、摺動時に凹部材２ａの外周面に弾性部材５が追従することで、嵌合空間から露出しないようにすることができる。つまり、図３、図４に示すように、摺動にあたり、凸部材１ａは露出する部分が移動するためである。
【００２４】
弾性部材５は、凸部材１ａ及び凹部材２ａの外周面に沿う殻状体であり、この弾性部材５には凹部材２ａと接する面に突起5ｂと、突出部１ｂを溝２ｂへの嵌入することを妨げないような大きさの長孔５ａと、が設けられている。この突起５ｂを凹部材２ａの小孔２ｄへと嵌入して、弾性部材５と凹部材２ａとを摺動させずに、追従するように固定することができる。
【００２５】
このとき、弾性部材５の殻状体は、嵌合空間に挟み込まれている状態において、凸部材１ａまたは凹部材２ａの外周面の一部と接し、それ以外の部分とは空隙を有する形状であることが好ましい。例えば、図２(b)の拡大断面図Bに示すように、略半球面状でその周縁部５ｃのみが凸部材１ａの外周面に接しているものや、図２(c)の拡大断面図Cに示すように、断面形状が波状で、波の頂点が凸部材１ａ又は凹部材２ａの外周面上に接しているものであってもよい。
【００２６】
上述した構成から、突出部１ｂを溝２ｂへ嵌入保持することを妨げないで、設けられた一定の嵌合空間に、一定の大きさを有する殻状体の弾性部材５を挟み込むことができる。
【００２７】
また、この弾性部材５の反発力に応じて摩擦力が凸部材１ａと凹部材２ａに生じる。この弾性部材５の殻状体と凸部材１ａと凹部材２ａとの接する面の形状によって、生じる摩擦力を調整することが可能である。例えば、殻状体の周縁部５ｃのみ接した状態で摺動可能な摩擦力を生じるように形成した弾性部材５を用いることで、容易に組み立てることが可能である。
【００２８】
したがって、第１手すり接続部１から延設された連結部材である突出部１ｂと、摺動可能な摩擦力を発生するための部材である弾性部材５をそれぞれ独立に備えることで、従来の連結具及び押え部材の圧入による摺動可能な摩擦力の調整を必要とせず、組立作業と、摺動可能な摩擦力の調整と、を容易に実施することができる手すり用接続具を提供することが可能である。
【００２９】
上記の実施形態では本発明の好ましい実施形態を例示したが、本発明は上記の実施形態に限定されるものではなく、特許請求の範囲に記載した範囲内で改善や変更が可能である。例えば、第一手すり接続部１に設けた手すり固定部１ｃ２を第二手すり接続部２に設けること、凹部材２ａに突出部１ｂを延設し凸部材１ａに溝２ｂ備えること、も可能であり、また弾性部材５を内部に空隙を有するようなスポンジ状のものとすることも可能である。
【符号の説明】
【００３０】
A…手すり用接続具、1…第一手すり接続部、１a…凸部材、１ｂ…突出部、１ｃ…円筒状筒体、１ｃ１…欠損円筒状筒体、１ｃ２…手すり固定部、１ｂ１…固定具支持部、1ｅ…雌ねじ部、２…第二手すり接続部、２a…凹部材、２ｂ…溝、２ｃ…円筒状筒体、２ｄ…小孔、３…固定具、４…押え部材、５…弾性部材、５a…長孔、５ｂ…突起、５ｃ…周縁部、６、７、８…固定ねじ、９、１０…手すり部材、B、C…拡大断面図
【図１】
0006564233.tif 000002
【図２】
0006564233.tif 000003
【図３】
0006564233.tif 000004
【図４】
0006564233.tif 000005